(57)【要約】【課題】高さに応じて最適なデモモードを動作させるよう誘導あるいは自動的にでも動作を実行させることができる映像表示装置及び表示制御方法を提供する。【解決手段】実施形態によれば、複数のデモモードを備えた映像表示装置１において、デモモードにおけるデモ映像を表示させるディスプレイ１０５と、映像表示装置１がスタンド使用か壁掛け使用かを選択させる選択画面７００を表示させる表示処理モジュール１０４と、表示された選択画面７００からスタンド使用が選択された場合に第１のデモモードを推奨する選択画面８００を表示させ、壁掛け使用が選択された場合に第２のデモモードを推奨する選択画面８０１を表示させるマイコン１０８とを具備することを特徴とする。【選択図】図５
2014150396.tif 000002
【特許請求の範囲】
【請求項１】
複数のデモモードを備えた映像表示装置において、
前記デモモードにおけるデモ映像を表示させる表示部と、
前記映像表示装置がスタンド使用か壁掛け使用かを選択させる選択画面を前記表示部に表示させる表示処理手段と、
前記表示処理手段によって表示された前記選択画面から前記スタンド使用が選択された場合に第１のデモモードを推奨する前記選択画面を前記表示部に表示させ、前記壁掛け使用が選択された場合に前記第２のデモモードを推奨する前記選択画面を前記表示部に表示させる制御手段とを具備することを特徴とする映像表示装置。
【請求項２】
前記第１のデモモードはStickerデモであり、前記第２のデモモードはCloudデモであることを特徴とする請求項１記載の映像表示装置。
【請求項３】
前記第１のデモモードを推奨する前記選択画面は、前記第１のデモモードを示す第１のボタンが示され、この第１のボタンは反転表示またはハイライト表示されることを特徴とする請求項１記載の映像表示装置。
【請求項４】
前記第２のデモモードを推奨する前記選択画面は、前記第２のデモモードを示す第２のボタンが示され、この第２のボタンは反転表示またはハイライト表示されることを特徴とする請求項１記載の映像表示装置。
【請求項５】
複数のデモモードを備えた映像表示装置において、
前記デモモードにおけるデモ映像を表示させる表示部と、
前記映像表示装置を店頭で使用することを設定する選択画面を前記表示部に表示させる表示処理手段と、
前記映像表示装置が所定の高さを有しているか否かを検出する高さ検出部と、
前記選択画面から前記店頭での使用が選択された場合であって、前記高さ検出部によって前記所定の高さを有していることが検出されると、第１のデモモードを推奨する選択画面を前記表示部に表示させ、前記所定の高さを有していないことが検出されると、前記第１のデモモードとは異なる第２のデモモードを推奨する選択画面を前記表示部に表示させる制御部とを具備することを特徴とする映像表示装置。
【請求項６】
前記高さ検出部は、前記映像表示装置の任意の位置に設置された距離センサーを用いて床面から前記距離センサーまでの距離を測定し、前記所定の高さを有しているか否かを検出することを特徴とする請求項５記載の映像表示装置。
【請求項７】
複数のデモモードを備えた映像表示装置において、
前記デモモードにおけるデモ映像を表示させる表示部と、
前記映像表示装置を店頭で使用することを設定する選択画面を前記表示部に表示させる表示処理手段と、
前記映像表示装置が所定の高さを有しているか否かを検出する高さ検出部と、
前記選択画面から前記店頭での使用が選択された場合であって、前記高さ検出部によって前記所定の高さを有していることが検出されると、第１のデモモードの動作を実行させ、前記所定の高さを有していないことが検出されると、前記第１のデモモードとは異なる第２のデモモードの動作を実行させる制御部とを具備することを特徴とする映像表示装置。
【請求項８】
前記高さ検出部は、前記映像表示装置の任意の位置に設置された距離センサーを用いて床面から前記距離センサーまでの距離を測定し、前記所定の高さを有しているか否かを検出することを特徴とする請求項７記載の映像表示装置。
【請求項９】
複数のデモモードを備えた映像表示装置の表示制御方法において、
前記デモモードにおけるデモ映像を表示させるステップと、
前記映像表示装置がスタンド使用か壁掛け使用かを選択させる選択画面を表示させるステップと、
表示された前記選択画面から前記スタンド使用が選択された場合に第１のデモモードを推奨する前記選択画面を表示させ、前記壁掛け使用が選択された場合に前記第２のデモモードを推奨する前記選択画面を表示させるステップとを有することを特徴とする表示制御方法。
【請求項１０】
複数のデモモードを備えた映像表示装置の表示制御方法において、
前記デモモードにおけるデモ映像を表示させるステップと、
前記映像表示装置を店頭で使用することを設定する選択画面を表示させるステップと、
前記映像表示装置が所定の高さを有しているか否かを検出するステップと、
前記選択画面から前記店頭での使用が選択された場合であって、前記映像表示装置が前記所定の高さを有していることが検出されると、第１のデモモードを推奨する選択画面を表示させ、前記所定の高さを有していないことが検出されると、前記第１のデモモードとは異なる第２のデモモードを推奨する選択画面を表示させるステップとを有することを特徴とする表示制御方法。
【請求項１１】
複数のデモモードを備えた映像表示装置の表示制御方法において、
前記デモモードにおけるデモ映像を表示させるステップと、
前記映像表示装置を店頭で使用することを設定する選択画面を表示させるステップと、
前記映像表示装置が所定の高さを有しているか否かを検出するステップと、
前記選択画面から前記店頭での使用が選択された場合であって、前記所定の高さを有していることが検出されると、第１のデモモードの動作を実行させ、前記所定の高さを有していないことが検出されると、前記第１のデモモードとは異なる第２のデモモードの動作を実行させるステップとを有することを特徴とする表示制御方法。
【発明の詳細な説明】
【技術分野】
【０００１】
この発明は、映像表示装置及び表示制御方法に関するものであり、例えばデジタルテレビジョン放送受信装置を店頭に配列した時に有効な機能を発揮するものである。
【背景技術】
【０００２】
デジタルテレビジョン放送受信装置というのは、正面から見るのが画質にとって最良である。しかし、例えば店頭での展示においては、視聴者の目線から低い位置や高い位置に設置されていることが多々あり、そういった場合、視野角の問題から画質が悪くなるという問題がある。そこで、表示面の高さすなわち視聴者の目線に応じて最適な画質を表示できる映像表示装置が開発されてきている。
【先行技術文献】
【特許文献】
【０００３】
【特許文献１】特開２００９−１８２３９２号公報
【発明の概要】
【発明が解決しようとする課題】
【０００４】
上記特許文献１によれば、デジタルテレビジョン放送受信装置は、液晶テレビジョン受信装置の所定の位置から垂直方向に対してある角度をもって床面までの距離を計測する距離計測手段と、この距離計測手段の計測結果と上述の角度を基に床面から表示面までの高さを計算する高さ計算手段を備える検知手段、高さに応じて画質を切り換える制御手段を備えて構成されている、ことが開示されている。
【０００５】
しかしながら、特許文献１には、距離センサーを使って床からの高さを計算し、店頭使用を想定して画質を自動調整することは記述されているが、高さに応じて、デモンストレーション映像を表示するモード（以下、デモモードと称する）を変更することは記述されていない。
【０００６】
そこで本発明が解決しようとする課題は、高さに応じて最適なデモモードを動作させるよう誘導あるいは自動的にデモ動作を実行させることができる映像表示装置及び表示制御方法を提供するところにある。
【課題を解決するための手段】
【０００７】
実施形態によれば、複数のデモモードを備えた映像表示装置において、前記デモモードにおけるデモ映像を表示させる表示部と、前記映像表示装置がスタンド使用か壁掛け使用かを選択させる選択画面を前記表示部に表示させる表示処理手段と、前記表示処理手段によって表示された前記選択画面から前記スタンド使用が選択された場合に第１のデモモードを推奨する前記選択画面を前記表示部に表示させ、前記壁掛け使用が選択された場合に前記第２のデモモードを推奨する前記選択画面を前記表示部に表示させる制御手段とを具備することを特徴とする。
【０００８】
また実施形態によれば、複数のデモモードを備えた映像表示装置において、前記デモモードにおけるデモ映像を表示させる表示部と、前記映像表示装置を店頭で使用することを設定する選択画面を前記表示部に表示させる表示処理手段と、前記映像表示装置が所定の高さを有しているか否かを検出する高さ検出部と、前記選択画面から前記店頭での使用が選択された場合であって、前記高さ検出部によって前記所定の高さを有していることが検出されると、第１のデモモードを推奨する選択画面を前記表示部に表示させ、前記所定の高さを有していないことが検出されると、前記第１のデモモードとは異なる第２のデモモードを推奨する選択画面を前記表示部に表示させる制御部とを具備することを特徴とする。
【０００９】
また実施形態によれば、複数のデモモードを備えた映像表示装置において、前記デモモードにおけるデモ映像を表示させる表示部と、前記映像表示装置を店頭で使用することを設定する選択画面を前記表示部に表示させる表示処理手段と、前記映像表示装置が所定の高さを有しているか否かを検出する高さ検出部と、前記選択画面から前記店頭での使用が選択された場合であって、前記高さ検出部によって前記所定の高さを有していることが検出されると、第１のデモモードの動作を実行させ、前記所定の高さを有していないことが検出されると、前記第１のデモモードとは異なる第２のデモモードの動作を実行させる制御部とを具備することを特徴とする。
【図面の簡単な説明】
【００１０】
【図１】実施形態に係るデジタルテレビジョン放送受信装置を示す外観図である。
【図２】実施形態に係るデジタルテレビジョン放送受信装置のシステムを概略的に示したシステムブロック図である。
【図３】Stickerデモモードの表示画面例を示した図である。
【図４】Cloudデモモードの表示画面例を示した図である。
【図５】デジタルテレビジョン放送受信装置のユーザ設定に関するフローを示す図である。
【図６】初期設定画面の表示例を示した図である。
【図７】ＴＶ使用環境設定画面の使用目的に関する表示例を示した図である。
【図８】ＴＶ使用環境設定画面の設置場所に関する表示例を示した図である。
【図９】ＴＶ使用環境設定画面のデモモードに関する表示例（推奨表示）であり、（ａ）はStickerデモの表示例、図９（ｂ）はCloudデモの表示例を示した図である。
【図１０】距離センサーを使用した場合のデジタルテレビジョン放送受信装置のユーザ設定に関するフローを示す図である。
【図１１】距離センサーを使用した場合のデジタルテレビジョン放送受信装置のユーザ設定と店頭デモ動作に関するフローを示す図である。
【発明を実施するための形態】
【００１１】
以下、実施の形態について図面を参照して説明する。
【００１２】
図１は、実施形態に係るデジタルテレビジョン放送受信装置１を示す外観図である。
【００１３】
図１に示すように、映像表示装置１（デジタルテレビジョン放送受信装置１）は、ディスプレイ１０５と、ディスプレイを囲む筐体１４０と、筐体１４０を支えるスタンド１４１とから構成される。
【００１４】
図２は、実施形態に係るデジタルテレビジョン放送受信装置１のシステムを概略的に示すシステムブロック図である。デジタルテレビジョン放送受信装置１は、チューナー１０１、信号処理モジュール１０２、映像処理モジュール１０３、表示処理モジュール１０４、ディスプレイ１０５、音声処理モジュール１０６、スピーカー１０７、マイコン(micro computer)１０８、ＲＯＭ(Read Only Memory)１０９、ＲＡＭ(Random Access Memory)１１０、不揮発性メモリ（記憶手段）１１１、キーボード１１２、受光モジュール１１３、ＬＡＮ(Local Area Network)端子１１４、無線ＬＡＮ送受信モジュール１１５、Ｂｌｕｅｔｏｏｔｈ（登録商標）送受信モジュール１１６、第１のＨＤＭＩ(High Definition Multimedia Interface)端子１１７、第２のＨＤＭＩ端子１１８、ＩＲブラスターインターフェース１１９を備える。
【００１５】
チューナー１０１は、ユーザが指示した視聴用のチャンネルを選局する。チューナー１０１は、アンテナ２０１で受信したＢＳ(Broadcasting Satellite)、ＣＳ、地上波等のデジタル放送信号を受信し、復調する。チューナー１０１は、復調したデジタル放送信号を信号処理モジュール１０２に出力する。信号処理モジュール１０２は、復調されたデジタル放送信号から様々なデジタル信号を取り出す。信号処理モジュール１０２は、映像信号を映像処理モジュール１０３に、音声信号を音声処理モジュール１０６に出力する。映像処理モジュール１０３は、信号処理モジュール１０２からの映像信号をディスプレイ１０５で表示可能なフォーマットの映像信号に変換し、ディスプレイ（表示部）１０５の画面サイズ合わせて適切に調整する。映像処理モジュール１０３は、表示処理モジュール１０４に映像信号を出力する。表示処理モジュール１０４は、映像信号に文字情報等のグラフィックを選択的に重畳する。例えば、表示処理モジュール１０４は、後述する選択設定画面などを映像信号に重畳する。表示処理モジュール１０４は、映像信号をディスプレイ１０５に出力する。ディスプレイ１０５は、映像信号に基づいて画面に映像を表示する。
【００１６】
音声処理モジュール１０６は、信号処理モジュール１０２からの音声信号を、スピーカー２１で再生可能なフォーマットの音声信号に音響処理して増幅する。音声処理モジュール１０６は、スピーカー１０７に音声信号を出力する。スピーカー１０７は、音声信号に基づいて音声を出力する。ユーザは、所望の番組の映像をディスプレイ１０５で、音声をスピーカー１０７で視聴できる。
【００１７】
マイコン１０８は、テレビ装置１の各部の動作を制御し、各部とデータを授受する。例えば、マイコン１０８は、通信ライン１２０(例えば、IIC(Inter-IC)-BUS)を介して、チューナー１０１、信号処理モジュール１０２、映像処理モジュール１０３、表示処理モジュール１０４、音声処理モジュール１０６などと接続されている。ＲＯＭ１０９は、マイコン１０８が実行する制御プログラムを格納する。ＲＡＭ１１０は、マイコン１０８に作業エリアを提供する。不揮発性メモリ１１１は、各種情報、データを記憶する。不揮発性メモリ１１１は、例えば、番組表データを記憶する。また、不揮発性メモリ１１１は、少なくとも一つのアプリケーションを記憶する。不揮発性メモリ１１１は、例えば、番組表データを用いて、ディスプレイ１０５に表示するためにＥＰＧを構成（生成）するためのＥＰＧアプリケーションを記憶する。キーボード１１２は、ユーザ操作を受け付ける。受光モジュール１１３は、リモコン２０２からのユーザ操作によるＩＲ信号を受信する。
【００１８】
ＬＡＮ端子１１４は、ＬＡＮ（Ｅｔｈｅｒｎｅｔ（登録商標））を介して外部または内部ネットワークと接続する。無線ＬＡＮ送受信モジュール１１５は、無線ＬＡＮを介して外部または内部ネットワークと接続する。ＬＡＮ端子１１４及び無線ＬＡＮ送受信モジュール１１５は、ネットワークを介して外部機器（接続機器）と接続する。
【００１９】
Ｂｌｕｅｔｏｏｔｈ（登録商標）送受信モジュール１１６は、Ｂｌｕｅｔｏｏｔｈ（登録商標）を介して外部機器と接続する。第１のＨＤＭＩ端子１１７は、ＨＤＭＩケーブルを介して外部機器と接続する。第２のＨＤＭＩ端子１１８は、ＨＤＭＩケーブルを介して外部機器と接続する。つまり、ＬＡＮ端子１１４、無線ＬＡＮ送受信モジュール１１５、Ｂｌｕｅｔｏｏｔｈ（登録商標）送受信モジュール１１６、第１のＨＤＭＩ端子１１７、第２のＨＤＭＩ端子１１８は、外部機器と接続するインターフェースとして機能する外部入力端子である。したがって、マイコン１０８は、ＬＡＮ端子１１４、無線ＬＡＮ送受信モジュール１１５、Ｂｌｕｅｔｏｏｔｈ（登録商標）送受信モジュール１１６、第１のＨＤＭＩ端子１１７、第２のＨＤＭＩ端子１１８に接続されている外部機器から情報（例えば、映像情報、音声情報）を受信可能である。
【００２０】
この実施形態では、第１のＨＤＭＩ端子１１７は、外部機器３とＨＤＭＩケーブルを介して接続し、第２のＨＤＭＩ端子１１８は、外部機器４とＨＤＭＩケーブルを介して接続しているものとする。なお、不揮発性メモリ１１１は、外部入力端子である第１のＨＤＭＩ端子１１７に対する外部機器３の接続を登録して保存する。同様に、不揮発性メモリ１１１は、外部入力端子である第２のＨＤＭＩ端子１１８に対する外部機器４の接続を登録して保存する。なお、図２には、ＬＡＮ端子が１つ、ＨＤＭＩ端子が２つ描かれているが、数は、これに限定されない。
【００２１】
ＩＲブラスターインターフェース１１９は、図示しないＩＲブラスターケーブルの一端と接続する。ＩＲブラスターインターフェース１１９は、外部入力端子とは異なり、ＩＲブラスターケーブルを介して外部機器と接続するインターフェースとして機能する。
【００２２】
距離センサー３００は、デジタルテレビジョン放送受信装置の任意の場所（たとえば、額縁の中央上や中央下など）に下方に向けて設置され、たとえば超音波を発射し、その反射波を受け取るものである。
【００２３】
高さ検出部３０１は、距離センサー３００で超音波を発射しその反射波が返ってくるまでの時間を計測することにより、床面から距離センサー３００までの高さを検出できるものである。なお、測定方法は特許文献１に記載の測定方法であってもよく、またそれ以外の方法でもよし、高さを測定できる方法であれば何でもよい。
【００２４】
デモモード動作制御部３０２は、後述するデモモード（Stickerデモ、Cloudデモ）を実際に動作を実行させるためのものである。
【００２５】
図３は、Stickerデモモードの表示画面例を示した図である。図４は、Cloudデモモードの表示画面例を示した図である。
【００２６】
デジタルテレビジョン放送受信装置１が店頭に配置されて販売されるとき、デモンストレーション映像（デモ映像）を表示するデモモードに切り替ええられることがある。本実施形態のデジタルテレビジョン放送受信装置１は、たとえば２種類の店頭デモモードを備えており、一つはStickerデモモード、もう一つはCloudデモモードである。ここでは、２種類の店頭デモモードとしているが、２種類以上のデモモードを持っていてもよいことは言うまでもない。
【００２７】
Stickerデモモードとは、チューナ１０１や外部機器３，４からの映像信号などにオーバーレイして画面の一部に機能説明するためのデモ映像を表示するものである。デモ映像とは、具体的には図３に示すようにデジタルテレビジョン放送受信装置１のディスプレイ１０５上に表示された映像にオーバーレイして、ディスプレイ１０５の左側にある、製造メーカ名「Ａ社」を示すアイコン（またはロゴ）４０１や放送受信装置１が持つ機能「３Ｄ」を示すアイコン（またはロゴ）４０２、「skype」（登録商標）を示すアイコン（またはロゴ）４０３、「HDMI」（登録商標）を示すアイコン（またはロゴ）４０４、「Wi-Fi」（登録商標）を示すアイコン（またはロゴ）４０５等のことを示している。なお、本実施形態では上記機能に限られるものではなく上記以外の機能があれば当然表示してもよい。
【００２８】
Stickerデモモードの用途としては、デジタルテレビジョン放送受信装置１が店頭において壁掛けなどで上の方に配置されていた場合に主に使用される。何故なら、ユーザの目線より高い位置に配置されると、ユーザはどこのメーカなのか、またはどういう機能を持っているのか、下から見ただけでは判断がつきにくいためである。特に、米国や欧州などではかなり高い位置に他社のデジタルテレビジョン放送受信装置と一緒に陳列されるため、ユーザはそのデジタルテレビジョン放送受信装置を眺めているだけでは展示されているデジタルテレビジョン放送受信装置の製造メーカであったり、装置が持つ本来の機能などは一瞬では判断できない。したがって、壁掛け使用の場合では、放送受信装置１の製造メーカや機能が一瞬で判断がつくような表示が可能なStickerデモモードが選択されることが望ましい。
【００２９】
次に、Cloudデモモードについて説明する。現在、サーバとデジタルテレビジョン放送受信装置がネットワークを介してデータ通信することが可能に接続されたクラウドシステムが構築されているとする。このようなクラウドシステムでは、ネットワークを使って番組情報を友人と交換したり、お好みの動画やショッピングを楽しんだりすることができ、いろんなサービスが受けられるようになる。Cloudデモモードでは、いろんなサービスを一括管理できるメニュー画面が全画面に表示され、このメニュー画面にはいろんなサービスを実行するためのアプリケーションの説明がなされる。具体的には、図４に示すようにディスプレイ１０５上に、ＴＶ／ビデオ画面５０１、カレンダー画面５０２、メッセージ画面５０３などのサービス画面が表示される。ＴＶ／ビデオ画面５０１は、さまざまなブロードバンドサービスを利用でき、家にいながら映画やドラマをレンタルしたりなどできることを示した画面である。カレンダー画面５０２は、録画予約や視聴予約をカレンダーに表示するなど、番組と連携したさまざまな使い方ができることを示した画面である。メッセージ画面５０３は、複数の友人とメッセージを交換できる機能で、単なるメッセージだけでなく、受信したメッセージからシーンを再生したり、番組の録画予約ができることを示した画面である。なお、画面５００の左下に、「デモ再生中」５１５と表示され、この表示によってユーザはCloudデモモードであることを理解する。
【００３０】
また、Cloudデモモードの用途としては、デジタルテレビジョン放送受信装置１が店頭においてスタンド使用で配置されていた場合が主に使用される。何故なら、ユーザの目線に近い位置に配置され、放送受信装置１の画面上にＴＶ／ビデオ画面５０１、カレンダー画面５０２やメッセージ画面５０３などのように多岐にわたるサービス一覧が目前に表示されれば、ユーザはどういう機能を持っているのかを一瞬で判断できるからである。したがって、スタンド使用の場合では、Cloudデモモードが選択されるのが望ましい。
【００３１】
図５は、デジタルテレビジョン放送受信装置のユーザ設定に関するフローを示す図である。図６は、初期設定画面の表示例を示した図である。図７乃至図９は、ＴＶ使用環境設定画面の表示例を示した図である。
【００３２】
まず、ユーザがデジタルテレビジョン放送受信装置１を購入すると、最初に初期設定を行う必要がある。ユーザが放送受信装置１の電源を入れると、マイコン１０８が表示処理モジュール１０４を制御して、図６に示すような言語設定を選択させる画面５５０（初期設定画面）を表示させる（ステップＳＴ４０１）。ユーザは表示された各言語の中から所望の言語を選択（ここでは、「日本語」を選択）して、「次へ」のボタンを選択（決定）する。この選択により、マイコン１０８は表示処理モジュール１０４を制御して、図７に示すような使用目的に関するＴＶ使用環境設定画面６００を表示させる（ステップＳＴ４０３）。
【００３３】
次に、ユーザは図７のＴＶ使用環境設定画面６００から、使用目的が「家庭」なのか「店頭」なのかを選択する（ステップＳＴ４０５）。もし「店頭」を選択し「次へ」のボタンを選択（決定）した場合には、マイコン１０８は表示処理モジュール１０４を制御して、図８に示すような使用方法に関するＴＶ使用環境設定画面７００を表示させる。そして、ユーザは表示されたＴＶ使用環境設定画面７００から、使用方法が「スタンド」なのか「壁掛け」なのかを選択する（ステップＳＴ４０７）。もし、「壁掛け」を選択し「次へ」のボタンを選択（決定）した場合には、マイコン１０８は表示処理モジュール１０４を制御して、図９（ａ）のようにデモモードに関するＴＶ使用環境設定画面８００を表示させるとともに、初期値としてStickerデモを推奨する選択画面（「Sticker」ボタン）を表示させる。即ち、マイコン１０８はデモモードに関する設定画面が表示された時点で、Stickerデモを示す「Sticker」ボタンを反転表示やハイライト表示させ、ユーザに推奨させた状態で表示させる（ステップＳＴ４０９）。したがって、ユーザは何も迷うことなく、「次へ」のボタンを選択（決定）するだけで、Stickerデモを動作させることができる。
【００３４】
また、ステップＳＴ４０７の使用方法に関する設定画面において、ユーザは「壁掛け」ではなく「スタンド」ボタンを選択した場合、マイコン１０８は表示処理モジュール１０４を制御して、図９（ｂ）のようにデモモードに関するＴＶ使用環境設定画面８１０を表示させるとともに、初期値としてCloudデモを推奨する選択画面（「Cloud」ボタン）を表示させる。即ち、マイコン１０８はデモモードに関する設定画面が表示された時点で、Cloudデモを示す「Cloud」ボタンを反転表示やハイライト表示させ、ユーザに推奨させた状態で表示させる（ステップＳＴ４１１）。なお、ステップＳＴ４０５においてユーザが「家庭」を選択した場合には、ここでの処理は終了となる。
【００３５】
このように、ユーザが使用目的に関して「店頭」、使用方法に関して「壁掛け」または「スタンド」を選択画面から順次選択することで、たとえ複数のデモモードを備えているデジタルテレビジョン放送受信装置であっても最適なデモモードを推奨表示してくれるので、ユーザは迷うことなく、デモを実行することができる。
【００３６】
図１０は、距離センサーを使用した場合のデジタルテレビジョン放送受信装置のユーザ設定に関するフローを示す図である。
【００３７】
まず、ユーザがデジタルテレビジョン放送受信装置１を購入すると、最初に初期設定を行う必要がある。ユーザが放送受信装置１の電源を入れると、マイコン１０８が表示処理モジュール１０４を制御して、図６に示すような言語設定を選択させる画面５５０（初期設定画面）を表示させる（ステップＳＴ９０１）。ユーザは表示された各言語の中から所望の言語を選択（ここでは、「日本語」を選択）して、「次へ」のボタンを選択する。この選択により、マイコン１０８は表示処理モジュール１０４を制御して、図７に示すような使用目的に関するＴＶ使用環境設定画面６００を表示させる（ステップＳＴ９０３）。
【００３８】
次に、ユーザは図７のＴＶ使用環境設定画面６００から、使用目的が「家庭」なのか「店頭」なのかを選択する（ステップＳＴ９０５）。もし「店頭」を選択し「次へ」のボタンを選択（決定）した場合には、マイコン１０８は放送受信装置１と床面との距離を検出する高さ検出部３０１にアクセスして、放送受信装置１が２ｍ以上の高さに設置されているかを判断する（ステップＳＴ９０７）。なお、ここでの「高さ」とは、床面から放送受信装置１に設置された距離センサー３００の位置までの距離であってもよく、床面から放送受信装置１のスタンド１４１（の底面）までの距離であってもよい。ここでは２ｍ以上と表現しているが１ｍ以上でもよく、とにかく所定の距離（高さ）を有していればよい。
【００３９】
マイコン１０８はたとえば放送受信装置１に設置された距離センサー３００の高さが床面から２ｍ以上あるのか否かを判断する。そして、２ｍ以上の高さを有していると判断した場合、マイコン１０８は壁掛け使用であると認識し表示処理モジュール１０４を制御して、図９（ａ）に示すようなデモモードに関するＴＶ使用環境設定画面８００を表示させ、初期値としてStickerデモを推奨する選択画面（「Sticker」ボタン）を表示させる。すなわち、マイコン１０８はデモモードに関する設定画面が表示された時点で、Stickerデモを示す「Sticker」ボタンを反転表示やハイライト表示させ、ユーザに推奨させた状態で表示させる（ステップＳＴ９０９）。
【００４０】
また、マイコン１０８は距離センサー３００の高さが床面から２ｍ以上の高さを有していないと判断した場合には、スタンド使用であると認識し表示処理モジュール１０４を制御して、図９（ｂ）のようにデモモードに関するＴＶ使用環境設定画面８１０を表示させ、初期値としてCloudデモを推奨する選択画面（「Cloud」ボタン）を表示させる。すなわち、マイコン１０８はデモモードに関する設定画面が表示された時点で、Cloudデモを示す「Cloud」ボタンを反転表示やハイライト表示させ、ユーザに推奨させた状態で表示させる（ステップＳＴ９１１）。なお、ステップＳＴ９０５においてユーザが「家庭」を選択した場合には、ここでの処理は終了となる。
【００４１】
このように、ユーザは図７の画面６００で「店頭」を選択すると、マイコン１０８は放送受信装置１（たとえは距離センサー３００）と床面との高さを検出し、この放送受信装置１がスタンド使用なのか壁掛け使用なのかを自動的に判断する。そして、スタンド使用ではCloudデモを選択することを画面上でユーザに推奨させ、壁掛け使用ではStickerデモを選択することを画面上でユーザに推奨させる。したがって、ユーザは図７で「店頭」を選択するだけで、次には図９（ａ）のように推奨表示された「Sticker」ボタンか、図９（ｂ）のように推奨表示された「Cloud」ボタンかが自動的に表示されるため、ユーザにとっては高さを気にすることなく最適なデモモードを簡単に選択することができる。
【００４２】
図１１は、距離センサーを使用した場合のデジタルテレビジョン放送受信装置のユーザ設定と店頭デモ動作に関するフローを示す図である。
【００４３】
まず、ユーザがデジタルテレビジョン放送受信装置１を購入すると、最初に初期設定を行う必要がある。ユーザが放送受信装置１の電源を入れると、マイコン１０８が表示処理モジュール１０４を制御して、図６に示すような言語設定を選択させる画面５５０（初期設定画面）を表示させる（ステップＳＴ１００１）。ユーザは表示された各言語の中から所望の言語を選択（ここでは、「日本語」を選択）して、「次へ」のボタンを選択する。この選択により、マイコン１０８は表示処理モジュール１０４を制御して、図７に示すような使用目的に関するＴＶ使用環境設定画面６００を表示させる（ステップＳＴ１００３）。
【００４４】
次に、ユーザは図７のＴＶ使用環境設定画面６００から、使用目的が「家庭」なのか「店頭」なのかを選択する（ステップＳＴ１００５）。もし「店頭」を選択し「次へ」のボタンを選択（決定）した場合には、マイコン１０８は放送受信装置１（たとえば距離センサー３００）と床面との距離を検出する高さ検出部３０１にアクセスして、放送受信装置１が２ｍ以上の高さに設置されているかを判断する（ステップＳＴ９０７）。なお、ここでの「高さ」とは、上記と同様に、床面から放送受信装置１に設置された距離センサー３００の位置までの距離であってもよく、床面から放送受信装置１のスタンド１４１（の底面）までの距離であってもよい。
【００４５】
マイコン１０８はたとえば距離センサー３００の高さが床面から２ｍ以上あるのか否かを判断する。そして、２ｍ以上の高さを有していると判断した場合、マイコン１０８はデモモード動作制御部３０２を制御してStickerデモの動作を実行させる。その動作制御とともに、マイコン１０８は表示処理モジュール１０４を制御してStickerデモの表示画面を表示させる。すなわち、図３のようにディスプレイ１０５に表示された映像にオーバーレイして、製造メーカ名「Ａ社」を示すアイコン４０１や「３Ｄ」アイコン４０２、「skype」アイコン４０３、「HDMI」アイコン４０４、「Wi-Fi」アイコン４０５などを表示させる。
【００４６】
また、マイコン１０８は放送受信装置１のスタンド１４１の高さが床面から２ｍ以上の高さを有していないと判断した場合は、デモモード動作制御部３０２を制御してCloudデモの動作を実行させる。その動作制御とともに、マイコン１０８は表示処理モジュール１０４を制御してCloudデモの表示画面を表示させる。すなわち、図４のようにディスプレイ１０５上に、ＴＶ／ビデオ画面５０１、カレンダー画面５０２、メッセージ画面５０３などのサービス画面を表示させる。なお、ステップＳＴ１００５においてユーザが「家庭」を選択した場合には、ここでの処理は終了となる。
【００４７】
このように、図１１ではユーザは図７の設定画面６００で「店頭」を選択すると、マイコン１０８はたとえば距離センサー３００と床面との高さが２ｍ以上有しているのか否かを判断し、その判断結果に応じてStickerデモ、あるいはCloudデモを直接動作させるよう制御する。したがって、ユーザは図７で「店頭」を選択するだけで、StickerデモあるいはCloudデモが自動的に動作開始されるので、ユーザにとっては高さやデモモードの種類を気にすることなく最適なデモモードが動作される。また図８の設定画面７００や図９（ａ）（ｂ）の設定画面８００、８０１が省略されるため、ユーザにとってデモを設定するうえ非常に使い勝手がよくなる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１・・・デジタルテレビジョン放送受信装置、１０２・・・信号処理モジュール、１０３・・・映像処理モジュール、１０４・・・表示処理モジュール、１０５・・・ディスプレイ、１０８・・・マイコン、３００・・・距離センサー、３０１・・・高さ検出部、３０２・・・デモモード動作制御部 
【図１】
2014150396.tif 000003
【図２】
2014150396.tif 000004
【図３】
2014150396.tif 000005
【図４】
2014150396.tif 000006
【図５】
2014150396.tif 000007
【図６】
2014150396.tif 000008
【図７】
2014150396.tif 000009
【図８】
2014150396.tif 000010
【図９】
2014150396.tif 000011
【図１０】
2014150396.tif 000012
【図１１】
2014150396.tif 000013